(57)【特許請求の範囲】
【請求項１】
通信ネットワークのデバイスにより、無線リソース制御メッセージに応答してタイマーを起動することを含むが、少なくとも前記タイマーの持続時間の間は前記デバイスによってＰＰＩメッセージが送信されない、方法であって、
前記無線リソース制御メッセージが、前記デバイスに関連する無線リソース接続セットアップ手順及び無線リソース接続再設定手順のうち１つに関し、
前記タイマーが、無線リソース接続セットアップ手順及び無線リソース接続再設定のうちの１つが完了したという表示に基づいて起動する、
方法。
【請求項２】
前記表示が、無線リソース接続セットアップ完了メッセージ及び無線リソース接続再設定完了メッセージのうちの１つを含む、請求項１に記載の方法。
【請求項３】
前記無線リソース接続セットアップ手順及び無線リソース接続再設定手順のうちの１つが、ハンドオーバ操作に関する、請求項１に記載の方法。
【請求項４】
前記タイマーの持続時間が、前記通信ネットワークから受信した情報に基づいて設定される、請求項１に記載の方法。
【請求項５】
前記タイマーの終了に基づいて、ネットワークに対してＰＰＩメッセージを送信することを更に含む、請求項１に記載の方法。
【請求項６】
前記ＰＰＩメッセージが、powerprefindication値を含む、請求項５に記載の方法。
【請求項７】
前記powerprefindication値は、前記デバイスが低電力消費モード又は通常電力消費モードのうちの１つにあることを示す、請求項６に記載の方法。
【請求項８】
前記タイマーを起動することが、Ｔ３４０タイマーを再起動することを含む、請求項１に記載の方法。
【請求項９】
前記タイマーの持続時間が、前記Ｔ３４０タイマーの持続時間に基づく、請求項８に記載の方法。
【請求項１０】
前記デバイスが、モバイル端末として構成される、請求項１から９のいずれかに記載の方法。
【請求項１１】
装置の処理手段に実行されることにより、前記装置に、請求項１から１０のいずれかに記載の方法を遂行させるように構成されるプログラム命令を備える、コンピュータプログラム。
【請求項１２】
処理手段及び記憶手段を備える装置であって、前記記憶手段はプログラム命令を格納し、前記プログラム命令は、前記処理手段に実行されることにより、前記装置に、請求項１から１０のいずれかに記載の方法を遂行させるように構成される、装置。
【請求項１３】
無線リソース制御メッセージに応答してタイマーを起動する手段を備え、少なくとも前記タイマーの持続時間の間はデバイスによってＰＰＩメッセージが送信されない、装置であって、
前記無線リソース制御メッセージが、前記デバイスに関連する無線リソース接続セットアップ手順及び無線リソース接続再設定手順のうち１つに関し、
前記タイマーが、前記無線リソース接続セットアップ手順及び無線リソース接続再設定のうちの１つが完了したという表示に基づいて起動する、
装置。
【請求項１４】
前記表示が、前記デバイスによって受信される無線リソース接続セットアップ完了メッセージ及び無線リソース接続再設定完了メッセージのうちの１つを含む、請求項１３に記載の装置。
【請求項１５】
前記無線リソース接続セットアップ手順及び無線リソース接続再設定手順のうちの１つが、ハンドオーバ操作に関する、請求項１３に記載の装置。
【請求項１６】
前記タイマーの持続時間が、前記通信ネットワークから受信した情報に基づいて設定される、請求項１３に記載の装置。
【請求項１７】
前記タイマーの終了に基づいて、ネットワークに対してＰＰＩメッセージを送信する手段を更に含む、請求項１３に記載の装置。
【請求項１８】
前記ＰＰＩメッセージが、powerprefindication値を含む、請求項１７に記載の装置。
【請求項１９】
前記powerprefindication値は、前記デバイスが低電力消費モード又は通常電力消費モードのうちの１つにあることを示す、請求項１８に記載の装置。
【請求項２０】
前記タイマーを起動することが、Ｔ３４０タイマーを再起動することを含む、請求項１３に記載の装置。
【請求項２１】
前記タイマーの持続時間が、前記Ｔ３４０タイマーの持続時間に基づく、請求項２０に記載の装置。
【請求項２２】
モバイル端末として構成される、請求項１３から２１のいずれかに記載の装置。
【請求項２３】
前記起動する手段が、タイマーと、コンピュータプログラムコードを含むコンピュータ可読媒体とを含み、前記コンピュータプログラムコードは少なくとも１つのプロセッサによって実行されるものである、請求項１３から２１のいずれかに記載の装置。
【発明の詳細な説明】
【技術分野】
【０００１】
「本発明の例示実施形態による教示は、拡張型多様データアプリケーション（enhanced diverse data applications; ｅＤＤＡ）と、該データアプリケーションによるスパース及び／又は間欠のデータ伝送を伴うＵＥ・ＲＲＣ接続モードのための省電力化との組合せに関する。本発明の例示実施形態は、少なくとも、ＤＲＸ、モビリティ、シグナリング負荷、及びネットワーク接続の解除タイマーを提供する。
【背景】
【０００２】
本セクションでは、特許請求の範囲に記載される発明に対して背景又は状況を提供することを目的とする。本セクションの記載は、権利付与が求められているものの、必ずしも従前に着想され、又は権利付与が求められたものでもない概念を含み得る。従って、特段の指示のない限り、本セクションに記載される事項は、本願の明細書及び特許請求の範囲に対して先行技術とはならず、本セクションに含まれることによって先行技術であると認めるものではない。
【０００３】
明細書及び／又は図面において見出される特定の略語は、以下の通り定義されるものである。
【０００４】
ＡＲＱ（automatic repeat-request）自動反復要求
ＣＱＩ（channel quality indication）チャンネル品質表示
Ｃ‐ＲＮＴＩ（cell radio network temporary identifier）セル無線ネットワーク一時識別子
ＤＲＢ（data radio bearer）データ無線ベアラ
ＤＲＸ(discontinuous reception) 間欠受信
ＤＬ（downlink）下り回線
ｅＤＤＡ（enhancements for diverse data application）多様データアプリケーション拡張
ｅＮＢ（base station）基地局
ＨＡＲＱ（hybrid automatic repeat-request）ハイブリッド自動反復要求
ＨＦＮ（hyper frame number）ハイパーフレーム番号
ＩＤＣ（in-device co-existence）デバイス内共存
ＩＥ（information element）情報要素
ＮＡＳ（non-access stratum）非アクセス層
ノードＢ（Node B）ＵＴＲＡＮ内の基地局（base station in UTRAN）
ＭＡＣ（medium access control layer）媒体アクセス制御層
ＰＤＣＰ（packet data convergence protocol layer）パケットデータコンバージェンスプロトコル層
ＰＨＹ（physical layer）物理層
ＰＰＩ（power preference indication）パワープリファレンス表示（電力選択表示）
ＱｏＳ（quality of service）サービス品質
ＲＡＣＨ（random access channel）ランダムアクセスチャンネル
ＲＡＮ（radio access network）無線アクセスネットワーク
ＲＬＣ（radio link control）無線リンク制御
ＲＮ（relay node）中継ノード
ＲＰＬＭＮ（registered public land mobile network）登録公衆地上移動体ネットワーク
ＲＲＣ（radio resource control）無線リソース制御
ＲＳ（reference signal）基準信号
ＳＤＵ（service data unit）サービスデータ単位
ＳＦＮ（system frame number）システムフレーム番号
ＳＭＣ（security mode command）セキュリティモードコマンド
ＳＮ（serving network）使用中ネットワーク
ＵＥ（user equipment）ユーザ機器
【０００５】
第３世代パートナーシッププロジェクト（３ＧＰＰ）によって開始されたロング・ターム・エボリューション（ＬＴＥ）システムは、システムの容量及びカバレッジの向上と共に高データレート、低遅延及びパケット最適化を提供する無線インターフェース及びネットワークアーキテクチャである。ＬＴＥシステムにおいては、
進化型ユニバーサルテレストリアル無線アクセスネットワーク（evolved universal terrestrial radio access network；ＥＵＴＲＡＮ）は、複数の進化型ノードＢ（ｅＮＢ）を含み、複数の移動局〔ユーザ機器（ＵＥ）とも称される〕と通信する。Ｅ-ＵＴＲＡＮの無線プロトコルスタックは、無線リソース制御層（ＲＲＣ）、パケットデータコンバージェンスプロトコル層(ＰＤＣＰ）、無線リンク制御層（ＲＬＣ）、媒体アクセス制御層（ＭＡＣ）、及び物理層（ＰＨＹ）を含む。
【０００６】
無線リソース制御（ＲＲＣ）シグナリングは、例えばＲＲＣ接続を確立／改変／解除したり、ハンドオーバを実行したり、測定をセットアップ／改変／解除したり、無線ベアラを確立／改変／解除したりする等、ＲＲＣ接続を改変するためにｅＮＢ及びＵＥによって用いられるＲＲＣ接続再設定のシグナリングを含み得る。ＲＲＣ状態は、ユーザ機器が無線アクセスネットワークとアクティブに通信していないＲＲＣアイドル(RRC Idle)状態と、無線がアクティブであり、ｅＮＢに接続しているＲＲＣ接続(RRC Connected)状態とを含む。ｅＮＢは、ＵＥがスケジューリング及びページングの情報を受信する時刻を決定するダウンリンクシグナリング設定を有する。省電力目的のために、ｅＮＢは、ＵＥがダウンリンク制御信号をモニタする時間周期を設定し得る。他の時には、ＵＥは、省電力モードになることが許容され、このような省電力モードの間、ｅＮＢは、ＵＥがダウンリンク信号を待つであろうことを想定し得ない。これは、間欠受信（ＤＲＸ）周期に関するものであり、間欠受信（ＤＲＸ）周期とは、節電する時間周期の間、ＵＥにその無線を停止させるものである。
【０００７】
データネットワークのカバレッジが、例えばＷｉＦｉネットワークを含めて増加するにつれ、多様なスマートフォンのアプリケーションの需要も増加している。大量のモバイルアプリケーションにより、それらアプリケーションのユビキタス性の観点でデバイスの接続性及び省電力動作に対して課題が提示されている。そのような課題の一つとして、ＵＥにおいてバックグランドで動作するそれらモバイルアプリケーションであって、ネットワークとの常時接続を必要とする傾向にあるモバイルアプリケーションに関するものがある。
【摘要】
【０００８】
本発明の一の例示態様においては、通信ネットワークのデバイスにより、無線リソース制御メッセージに応答してタイマーを起動することを含む方法が提供される。但し、少なくとも前記タイマーの持続時間の間は前記デバイスによってＰＰＩメッセージが送信されない。
【０００９】
本発明の別の例示態様においては、少なくとも１つのプロセッサ；及びコンピュータプログラムコードを含む少なくとも１つのメモリを含む、装置であって、前記少なくとも１つのメモリ及び前記コンピュータプログラムコードは、前記少なくとも１つのプロセッサと共に、少なくとも前記装置に無線リソース制御メッセージに応答してタイマーを起動させるように構成される、装置が提供される。但し、少なくとも前記タイマーの持続時間の間はデバイスによってＰＰＩメッセージが送信されない、
【００１０】
本発明の更なる別の例示態様においては、無線リソース制御メッセージに応答してタイマーを起動する手段を含む装置が提供される。但し、少なくとも前記タイマーの持続時間の間はデバイスによってＰＰＩメッセージが送信されない。
【００１１】
前記段落に記載の本発明の例示態様によれば、前記起動する手段が、タイマーと、コンピュータプログラムコードを含むコンピュータ可読媒体とを含み、前記コンピュータプログラムコードは少なくとも１つのプロセッサによって実行されるものである。
【００１２】
本発明の実施形態の前述した態様及びその他態様は、以下の詳細な説明において、添付の図面と共に読まれた時、より明らかとなる。
【図面の簡単な説明】
【００１３】
【図１Ａ】ＲＲＣ接続確立の成功を示す従来のシグナリング図である。
【図１Ｂ】ＲＲＣ接続確立手順のネットワーク拒否を示す従来のシグナリング図である。
【図２Ａ】Ｅ‐ＵＴＲＡＮネットワークとＵＥとの間におけるＵＥアシスト情報シグナリングの通信を示す。
【図２Ｂ】本発明の例示実施形態による方法に関連したＲＲＣ接続再設定シグナリングを示す。
【図３Ａ】長期ＲＲＣ接続（Long RRC接続）を伴うＰＰＩ操作を示す。
【図３Ｂ】本発明の例示実施形態による、タイマーを用いた接続モード操作を示す。
【図４】本願に提示される例示実施形態の実践用途に好適な各種電子デバイスの簡略ブロック図を示す。
【図５】本発明の例示実施形態による方法の簡略ブロック図を示す。
【詳細説明】
【００１４】
本発明の例示実施形態によれば、少なくとも、拡張型多様データアプリケーション（enhanced diverse data applications; ｅＤＤＡ）並びに該データアプリケーションによるスパース及び／又は間欠のデータ伝送を伴うＵＥ・ＲＲＣ接続モードのための省電力化を提供する方法が提供される。本発明の例示実施形態によれば、少なくとも、ＤＲＸ，モビリティ、シグナリング負荷、及び／又はネットワーク接続の解除タイマーに関する方法が提供される。
【００１５】
ＵＥ省電力化を最適化することを目的として、本発明の実施形態によれば、ＵＥがどのパワーモードにあろうと、ＵＥとネットワークとを同期させた状態に維持し、少なくともバックグラウンドでの良好なアプリケーションデータトラフィックを可能にする手法が提供される。それら手法は、以下に詳述される通り、ＵＥが、ｅＮＢ等のネットワークデバイスにＲＲＣ手順におけるＰＰＩを提供し、さらにＵＥからのＰＰＩの適時選択（タイミング）に用いるための新規タイマーを提供する機能を含む。
【００１６】
対象とする仕様の１つとしては、3GPP TS 36.331 V11.0.0（2012-06）第３世代パートナーシップ・プロジェクト；技術仕様化グループ無線アクセスネットワーク（Technical Specification Group Radio Access Network）；進化型ユニバーサルテレストリアル無線アクセス（Evolved Universal Terrestrial Radio Access；Ｅ‐ＵＴＲＡ）；無線リソース制御（Radio Resource Control；RRC）；プロトコル仕様（Protocol specification）（リリース１０）であり、これらは本願において全体が参照により援用される。
【００１７】
図１Ａは、3GPP TS 36.331の図5.3.5.1-1を複製したものであり、ＲＲＣ接続確立手順の全体を示している。図１Ａに示される通り、ＵＥは無線リソース制御（ＲＲＣ）接続を起動する。ＵＥは、例えばｅＮＢ等の進化型ユニバーサルテレストリアル無線アクセスネットワーク（ＥＵＴＲＡＮ）デバイス（単数又は複数）に、ＲＲＣ接続セットアップを要求するRRCConnectionRequestメッセージ１００（ＲＲＣ接続要求メッセージ１００）を送信する。ＥＵＴＲＡＮデバイス（単数又は複数）は、無線リンクをセットアップし、ＵＥに、物理チャンネル情報を含むRRCConnectionSetupメッセージ１１０（ＲＲＣ接続セットアップメッセージ１１０）を送信する。ＵＥは、自身をＥＵＴＲＡＮと同期させた後、確認RRCConnectionSetupCompleteメッセージ１２０（確認ＲＲＣ接続セットアップ完了メッセージ１２０）を伝送し、ＵＥは、次いで呼設定メッセージ等の上位層メッセージを発信してもよい。 
【００１８】
図１Ｂは、3GPP TS 36.331の図5.3.5.1-2を複製したものであり、ＲＲＣネットワーク拒否手順の全体を示す。図１Ｂは、ＲＲＣ接続障害の例を示す。ＥＵＴＲＡＮデバイス（単数又は複数）は、無線リンクセットアップの試みに失敗することがあり得る。そのような失敗は、ハードウェア・ブロックに起因するものであったり、或はアドミッション制御がセットアップの試みを拒否し得る。このような状況においては、RRCConnectionRequestメッセージ１４０に応答して、ＥＵＴＲＡＮデバイスは、RRCConnectionRejectメッセージ１５０（ＲＲＣ接続拒否メッセージ）を伝送する。
【００１９】
図２Ａは、ＲＲＣ接続再設定手順に対する応答においてＥ‐ＵＴＲＡＮネットワークとＵＥとの間におけるＵＥアシスト情報の通信を示す。図２Ａに示される通り、回線２００において、ＵＥとＥＵＴＲＡＮとがＲＲＣ接続再設定シグナリングを交換する。次いで、回線２５０において、ＵＥは、ＥＵＴＲＡＮにＵＥアシスト情報を送信する。この手順の目的は、 ＥＵＴＲＡＮに、ＵＥ省電力化選択（プリファレンス）を含み得るアシスト情報を通知することにある。さもなければ、Ｅ‐ＵＴＲＡＮは、ＵＥを設定してＰＰＩを可能にする時、ＵＥが最初に省電力化のためのデフォルト設定を選択すると想定し得る。本願において説明する新規操作は、このようなＲＲＣ及び省電力化の選択（プリファレンス）のシグナリングに関連したシグナリングを低減するように機能する。
【００２０】
図２Ｂは、3GPP TS 36.331 V11.0.0に記載されるＲＲＣ接続再設定の操作を示す。本願に記載される本発明の例示実施形態は、3GPP TS 36.331 V11.0.0、より詳細には3GPP TS 36.331のセクション5.3.5に関連する、図２Ａ及び図２Ｂに示されるシグナリング等のＲＲＣ接続の改変を含む。このＲＲＣ再設定手順は、ＲＢを確立／改変／解除し、ハンドオーバを実行し、測定をセットアップ／改変／解除、Ｓセル（Scell；セカンダリセル）を加え／改変し／解除することにある。手順の一部として、ＮＡＳ専用情報をＥ‐ＵＴＲＡＮからＵＥへ転送してもよい。図２Ｂに示す通り、回線２００において、ＵＥとＥＵＴＲＡＮとが、ＲＲＣ接続再設定のシグナリングを交換する。次いで、回線２６０に示す通り、ＵＥが、ＥＵＴＲＡＮにRRCConnectionCompleteメッセージ（ＲＲＣ接続完了メッセージ）をシグナリングする。3GPP TS 36.331のセクション5.3.5には、ＲＲＣ接続再設定が完了する前に実行されるシグナリングについて更なる記載が含まれている。本発明の実施形態は、ＰＰＩ（ＰＨ）シグナリング、並びに例えば図２Ａ及び図２Ｂに示されるようなＲＲＣ関連シグナリングに伴われる通信に少なくとも用いるためのタイマーに関する。本願に記載される新規操作は、本発明の実施形態によるパワープリファレンス表示（ＰＰＩ）タイマーを用いてシグナリングを低減することにより少なくともＵＥとネットワークオペレータとに利益をもたらすシグナリング及びタイマーを用いる。
【００２１】
ここで対処される課題は、powerPrefindication（ＰＰＩ）のシグナリング最適化、並びに各時刻においてＵＥがどのモードにあろうと、ＵＥとネットワークとを同期させた状態に維持する方法に関するものである。ＰＰＩは、１ビットの表示であり、ＵＥにおいて電力消費の低減を達成しようとする特定の理由がない時には「デフォルト」設定が存在するという想定が為される。このような状況においては、接続設定及び状態制御は、例えばＱｏＳ要求に基づいたものであり得る。この「デフォルト」設定は、接続がセットアップされた後にネットワークによって送信される。
【００２２】
ＰＰＩ表示は、接続セットアップの後初めて送信された時にのみlowpowerconsumption値（低電力消費値）に制限される。ＵＥがアイドル状態にあった後に新規データ転送が起動した時に、ネットワークは、ＵＥが通常モード又は「デフォルト」モードにあると想定する。これは、以下の記述と共に（3GPP TS 36.331 5.3.15.1における）最新の変更要求ＣＲにおいて捕捉される：
「Ｅ‐ＵＴＲＡＮは、ＵＥを設定してＰＰＩを可能にする時に最初にＵＥが省電力化のためのデフォルト設定を選択すると想定し得る。」
【００２３】
ＵＥのユーザによって能動的に用いられるアプリケーション（例えば、スマートフォンアプリケーション）によってトラフィックが生成される場合、デフォルト設定は標的とするＱｏＳを伴うデータを運搬するのに適当なものでなければならない。他方、例えば、トラフィックが、電子メールのモニタリング、インスタントメッセージサービス及び／又はソーシャルネットワーキングに関するステータス・アップデート等、バックグラウンドで動作しているアプリケーションに由来する場合、ＰＰＩシグナリングがネットワークによって可能とされているという条件で、ＵＥは、lowpowerconsumptionの値を表示するＰＰＩを送信し得る。このlowpowerconsumption表示は、ＵＥが低電力消費のための接続再設定を始動させることを可能にすると同時に、ＵＥのバックグラウンドで動作しているアプリケーション由来のデータトラフィックも依然として可能にする。
【００２４】
最初のＰＰＩ表示をlowpowerconsumptionのみに制限する原理に従うことにより、必要ＵＥアシストシグナリングの低減がもたらされる。これは、少なくとも、電力消費が接続設定のための最重要事項ではない場合全てにおいて、ＰＰＩシグナリングが回避され得るという理由のためである。これにより、アシスト情報に関連したその他値のみが送信される必要があることから、シグナリング負荷が低減され得る。
【００２５】
さらに、本発明によれば、ＰＰＩに関する3GPP TS 36.331のRAN#57承認変更要求は、以下の通りである：
5.3.15.2    イニシエーション
以下の場合にのみ、RRC_CONNECTED（ＲＲＣ接続）においてＰＰＩを提供することが可能なＵＥが手順を開始し得る。
・受信したpowerPreflndicationConfig（ＰＰＩ設定）が、powerPrefindication-Enabled（ＰＰＩ可能）を含む；並びに
・ＵＥが、現Ｐセル上でRRC_CONNECTEDに最後に入って以来、如何なる省電力化選択（プリファレンス）をも表示していないか、又は現ＵＥ選択（プリファレンス）が、現ＰセルにUEAssistanceInformationメッセージ（ＵＥアシスト情報メッセージ）を最後に伝送した際に表示されたものと異なる；及び
・タイマーＴ３４０が作動していない。
手順を開始する際、ＵＥは：
・ＵＥが省電力化のデフォルト設定を選択する場合：
・powerPrefIndication-Timer（ＰＰＩ‐タイマー）に設定されたタイマー値でタイマーＴ３４０を起動する；及び
・3GPP TS 36.331の5.3.15.3に従い、UEAssistancelnformationメッセージの伝送を開始する；
【００２６】
合意された仕様テキストによれば、ＵＥがlowpowerconsumptionの値を伴う次のその表示を送信することを防止する禁止タイマーＴ３４０を用いることによってシグナリング負荷が低減され得る。ＰＰＩが（電力最適化モードに入った後に）値として「デフォルト」モードで送信される時、禁止タイマーＴ３４０が起動される。禁止時間機構は図３Ａに示されており、そこには、長期データ伝送又は長期接続解除タイマー（例えばＲＲＣ接続解除を制御するネットワークパラメータ）に起因してＵＥがＲＲＣ接続状態で維持されるという仮定が存在する。
【００２７】
ＰＰＩについての時間制限に関し考慮しなければならない２つの基礎となるシナリオがある。即ち、ａ）ＵＥが（例えば長期接続解除タイマーと）連続して接続した状態が維持されるか、又はｂ）データバースト伝送の直後に接続が解除される。
【００２８】
図３Ａは、時点３１５におけるＰＰＩ／省電力操作、又は低電力選択（低電力プリファレンス）を描いている。これは、禁止タイマーＴ３４０を用いた長期ＲＲＣ接続（long RRC接続）を伴う。図３Ａに示される通り、禁止タイマー３４０は、ＰＰＩ／デフォルト設定（つまり、低電力最適化設定ではない）を示す最後のＰＰＩ伝送３２０においてのみ起動する。この場合、現に特定されている禁止タイマー（Ｔ３４０）が正常に機能し、デフォルトモードと省電力モードとの間の高頻度な変更による過剰なＰＰＩシグナリング手順を回避することによってシグナリング負荷を低減することができる。Ｔ３４０は、値が０（ゼロ）〜６００ｓの範囲となる設定可能なタイマーである。ゼロの値は、ＰＰＩ表示のフィルタリングがないことを意味する。Ｔ３４０タイマーは、ＵＥがデフォルト設定を選択するＰＰＩを送信する場合にのみ起動される。単一の禁止タイマー（Ｔ３４０）の使用は、ＰＰＩ伝送による過剰なシグナリング及びユーザエクスペリエンスへの影響を排除可能でなければならない。他の時期に禁止タイマーが起動しない問題は、連続したＰＰＩによって引き起こされる過剰シグナリングにより生じる、想定されるオーバーヘッドであるが、このようなアプローチの利益としては、ＵＥがＱＯＳ標的に合致する設定を必要とする時、それらを迅速に要求することができ、サービスが劣化しないことである。
【００２９】
本発明の例示実施形態によれば、ＲＲＣ手順に関連するものであり、かつＲＲＣ接続がセットアップされた時に起動する別のタイマーを用いた改良禁止機構が存在する。接続セットアップの後、任意の時期にＰＰＩを機能させると、ＵＥの電力消費に何ら影響も与えることなく、或は悪影響さえ与えつつ、非常に大きなシグナリング負荷を生じ得る。新規タイマー（Ｔ３ｘｘ）を用いると、過剰シグナリングが回避され、「バックグラウンド」モードでのスマートフォン動作が最適化され得る。
【００３０】
例示実施形態によれば、ＲＲＣメッセージ送信禁止機構が強化され、その結果、新規禁止タイマー（Ｔ３ｘｘ）が機能（例えば、ＰＰＩ，ＩＤＣ等）の設定においても起動されるであろう。例えば、この新規機能の設定は、（例えば、ＬＴＥのケースで、）（モビリティ制御情報の有無に関わらない）ＲＲＣ接続再設定、ＲＲＣ接続セットアップ、及びＲＲＣ接続再確立等によって生じるものであってもよい。新規タイマー値は、シグナリングされ、静的に特定され、又は他のタイマー値（例えばＰＰＩの場合のＴ３４０）との関係である値で加算／減算／除算／乗算され得る。
【００３１】
この場合、例えば作動中のアプリケーションがバックグラウンドトラフィック（これはスマートフォンで生成される通常のトラフィックであり得る）のみを生成している時に、接続が始動され単に少量のパケットが送信されてもよい。ほんの短い接続の間に、接続が間もなく解除される場合、ＰＰＩシグナリング手順を開始することは意味がない。図３Ｂは、そのようなシナリオを示す。
【００３２】
このような問題を回避するために、接続セットアップの開始時、接続セットアップ手順において、若しくは接続セットアップ手順の間に、及び接続セットアップシグナリング手順に続く接続再設定シグナリングにおいて、若しくは同接続再設定シグナリングの間に起動する、値lowpowerconsumptionを伴うＰＰＩ（この表示はバックグラウンドトラフィックで生じる可能性が高い）の伝送のための新規タイマーが提案される。新規タイマーは、また、原則として、ＲＲＣ仕様で特定される固定値でもあり得る。加えて、新規タイマーは、シグナリング条件に依存する等、可変であり得る。
【００３３】
不要なＰＰＩ表示を回避する、タイマーの使用に代わるもう一つの選択肢としては、バッファにおけるデータ量を用いて表示を送信するか否かを判定することであろう。バッファに少量のデータしかない場合には、ＰＰＩシグナリングは遅延し得る。ＰＰＩシグナリングを起動するか否かを判定するためにバッファにおけるデータ量には特定の閾値が設定され得る。Ｔ３ｘｘｘと同様に、閾値はネットワークによって設定可能であるか、或は、閾値は仕様において固定されたものであり得る。バッファステータスは、ユーザ機器生成データに対しては機能するが、ネットワークに由来するデータ転送に対しては適用可能ではない。
【００３４】
タイマーＴ３ｘｘが設定可能であることにより、異なる動作シナリオへの適合が可能になる。新規Ｔ３ｘｘタイマーのための設定可能値は、ネットワークが希望する場合、即時のＰＰＩ表示を許容する「０」から開始し得る。新規タイマーは、設定可能な時／場合、設定メッセージに別の情報要素（information element；ＩＥ）を有することができるし、又はＴ３４０設定に関連し得る。後者の場合は、新規タイマーの値は、Ｔ３４０の値と同一であることができ、その結果、Ｔ３ｘｘとＴ３４０の両方のタイマーに適用される、唯一の設定値が存在するであろう。或は、Ｔ３ｘｘに用いられる値は、設定されたＴ３４０の値に由来するものであることができ、例えば、その分数又は倍数である値、Ｔ３４０値を定数で減算又は加算した値等であり得る。Ｔ３ｘｘに関する別のＩＥがある場合には、その別のＩＥも同様に適用される。ネットワークは、Ｔ３ｘｘの時間周期を設定し、特定の接続のために適用される接続解除タイマーの長さに協調してもよく、その結果、禁止時間（Ｔ３ｘｘの値）が、接続解除の前に終了しないようにするために、解除タイマーより若干長くなるであろう。次いで、（初期データパケットの後）新規データが無い場合、接続は、接続解除タイマーの終了において、さらにＴ３ｘｘが終了しない時に、解除される。これにより、データパケット／バースト伝送についてのＲＲＣ接続がある時間周期全体の間、ＰＰＩシグナリングが防止される。或は、解除タイマー値が、Ｔ３ｘｘの値を設定するための基礎として用いられ得るブロードキャスト又は専用のシグナリングの何れかで、その他メッセージにおいてシグナリングされ得る。用いられたＴ３ｘｘ値は、解除タイマー終了前にＴ３ｘｘが終了することを防止するために、解除時間に幾らかの時間幅を足したものでなければならないことは明らかである。また、この時間幅は、固定値であるか、又は設定可能なものであり得る。
【００３５】
図３Ｂは、本発明の例示実施形態による新規Ｔ３ｘｘタイマー（３８５）を用いた方法を示す。図３Ｂは、高頻度ＲＲＣ状態移行と、断続（少量のデータパケット ‐ 「バックグラウンド」で作動するアプリケーションを有するスマートフォンでは通常である）伝送とを有する状況を示す。例示実施形態によれば、ＲＲＣ接続３５０がセットアップされた後、ネットワークは、ＵＥをデフォルトパワーモードにあると想定するか、同モードに再設定する（３６０）。ＰＰＩシグナリングは、このシグナリング手順の間に作動させる。新規タイマーＴ３ｘｘ３８５なしで、ＵＥが「バックグラウンド」モードにあり、かつ省電力化が選択され（これは、例えば夜中に数時間継続し得る）、さらにＰＰＩシグナリングが作動された場合、ＵＥは、lowpowerconsumptionを示す値を伴うＰＰＩ３６５を送信する。ＲＡＮノードは、次いで、接続パラメータを変更して省電力化を最大化することを目的として、ＲＲＣ接続再設定３７５シグナリング手順を起動してもよい。新規禁止タイマーＴ３ｘｘ３８５を用いた時、Ｔ３ｘｘが作動している間、ＵＥはＰＰＩを送信することはなく、ネットワークによって開始される、結果として生じる接続再設定は存在しないことになる。新規ＰＰＩ禁止タイマーＴ３ｘｘ３８５が、接続解除３８０を超えて作動してもよく、これによって、この（短い）接続時間の間においてＰＰＩ及び再設定のシグナリング手順が回避される。次のデータバースト伝送３９０の間、新規ＰＰＩ禁止タイマー３８５を用いたシグナリングの低減が再び達成され得る。
【００３６】
ＰＰＩ「設定」は、接続が解除された時に削除され得るので、前述した同一の手順を以下の接続において繰り返してもよい。このシーケンスは、（バックグラウンド）データ転送が生じるトラフィックパターンにより生じる。間隔は、ほんの数秒と短いものであり、転送されるごく少量のトラフィックペイロードしか伴わないＲＲＣシグナリングにおいて容認しがたい高負荷を生じることとなり得る。さらに、短い接続時間を用いると、電力最適化設定は、ほんの僅かな向上しか有することができず、これは過剰なシグナリング手順に起因して否定的なものとさえなり得る。
【００３７】
タイマーＴ３ｘｘに関する幾つかの実行機構が可能であるが、幾つかの例を簡単に説明する。禁止タイマーＴ３ｘｘは：
・Ｔ３４０と同様に又は他の設定メッセージにおいて設定され得る完全に新規なタイマーである、
・仕様において定義される固定時間であり得る、
・ブロードキャストされるメッセージによって通知され得る、
・設定されたＴ３４０と同一であるか又は同Ｔ３４０と同一の値を有し得る、
・Ｔ３４０に由来し得る、例えば、Ｔ３４０の特定の分数、Ｔ３４０＋１−適切な値等、
・バッファデータ量が、ＵＥがＰＰＩ表示を送信することを許容される特定の閾値を超えた場合にのみ、データバッファ・ステータスに基づくものであり得る、
○データ量が与えられた閾値より低い場合、ＵＥはＰＰＩ伝送に関する禁止タイマーを起動し得る、
○バッファにおけるデータ量が、それ自体、つまり、タイマーを用いることなく用いられ、ＰＰＩシグナリングを禁止し得る；データ量が与えられる閾値より低い場合、新規データの到着が無い（かつ与えられた閾値を超えている）限り、ＵＥはＰＰＩシグナリングを保留し、十分な量の新規データが到着し、かつ電力最適化が選択される場合には、ＵＥはＰＰＩを送信し得る、
○これは、ＵＥ開始データ転送に限定されてもよく、この場合、ＵＥが転送バッファにおいてデータを認知している、
・ＰＰＩ表示が作動されている場合にのみ起動されてもよい。
【００３８】
本発明の例示実施形態は、少なくとも以下の利点を提供する：
・特にバックグラウンドモードで作動しているスマートフォンに関して、又は、一般的には断続データ転送のみが生じている時に、シグナリング負荷が最小化される；
・ＵＥ電力消費に対する悪影響が解消される；
・大した仕様の影響もない簡単な機構で実施され得る；
・本発明の実施形態は既に合意された禁止機構上で規定され得る。
【００３９】
図４は、本発明の例示実施形態を実施する用途に適した各種電子デバイス及び装置の簡略ブロック図を示す。図４においては、無線ネットワーク（ネットワークアクセスノード２２及び上位ネットワークノード２４）が、モバイル端末又はＵＥ２０等の装置を用いて、無線リンク２１上、及び場合によってはリンク２３上の通信に適合されている。上位ネットワークノード２４は、更なるネットワーク〔例えば、公衆交換電話ネットワーク（publicly switched telephone network；ＰＳＴＮ）又はデータ通信ネットワーク／インターネット〕との接続性を提供するモビリティ管理エンティティ（mobility management entity；ＭＭＥ）としてＬＴＥシステムに実装されてもよい。加えて、無線リンク２１は、ＵＥ２０上のバックグラウンドで動作するアプリケーションによって用いられてもよい。これらのアプリケーションは、ネットワークノード２２又は別のネットワークノードとインターネット４０とを介してスパース/低頻度なデータ伝送を実行していてもよい。
【００４０】
ＵＥ２０は、少なくとも１つのデータプロセッサ（ＤＰ）２０Ａ等のプロセシング手段、少なくとも１つのコンピュータプログラム（ＰＲＯＧ）２０Ｃ又はより一般的にはコンピュータプログラムコードが記憶された少なくとも１つのコンピュータ可読メモリ（ＭＥＭ）２０Ｂ等の記憶手段、１以上のアンテナ２０Ｆを介したノードＢ２２を用いた双方向無線通信のためのトランスミッターＴＸ２０Ｄ及びレシーバＲＸ２０Ｅ等の通信手段を含む。さらに、少なくとも、ネットワークノードを用いてＲＲＣ確立を開始し、ネットワークノード２２等のネットワークノードに接続情報を提供する手段、並びにＲＲＣ接続のセットアップ及び／又は再設定で起動される、lowpowerconsumptionの値を伴うＰＰＩ伝送のためにＲＲＣ／ＰＰＩタイマー２００を実行する手段を含む本発明の例示実施形態に関連する情報が、少なくともＲＲＣ／ＰＰＩユニット２０ＧのためのＭＥＭ２０Ｂに記憶されている。
【００４１】
ネットワークアクセスノード２２は、また、少なくとも１つのデータプロセッサ（ＤＰ）２２Ａ等のプロセシング手段、少なくとも１つのコンピュータプログラム（ＰＲＯＧ）２２Ｃ又はより一般的にはコンピュータプログラムコードが記憶された少なくとも１つのコンピュータ可読メモリ（ＭＥＭ）２２Ｂ等の記憶手段、並びに１以上のアンテナ２２Ｆを介した少なくともＵＥ２０を用いた双方向無線通信のためのトランスミッターＴＸ２２Ｄ及びレシーバＲＸ２２Ｅ等の通信手段を含む。さらに、ＵＥ２０のモビリティ状態を含む情報を受信することを含む例示実施形態に関連した情報と、本発明の例示実施形態による、ＲＲＣ接続のセットアップ及び／又は再設定におけるlowpowerconsumptionの値を伴うＰＰＩの受信のためのＲＲＣ／ＰＰＩタイマー２２Ｇを実装するために実行可能であるプログラミングコードとが、また、少なくともＲＲＣ／ＰＰＩユニット２２ＧのためのＭＥＭ２２Ｂに記憶されている。
【００４２】
同様に、上位ネットワークノード２４は、少なくとも１つのデータプロセッサ（ＤＰ）２４Ａ等のプロセシング手段、少なくとも１つのコンピュータプログラム（ＰＲＯＧ）２４Ｃ又はより一般的にはコンピュータプログラムコードが記憶された少なくとも１つのコンピュータ可読メモリ（ＭＥＭ）２４Ｂ等の記憶手段、並びにデータ／制御パス２５を介した少なくともネットワークアクセスノード２２を用いた双方向通信のための通信手段を含む。さらに、ネットワークアクセスノード２２と同様に、上位ネットワークノード２４がＵＥのモビリティ状態を含む情報を有する必要が生じた場合にこの情報を受信することを含む本発明の例示実施形態に関連した情報と、本発明の例示実施形態により、上位ネットワークノード２４にＵＥ２０によって送信されたlowpowerconsumptionの値を伴うＰＰＩを含む情報を受信させるように構成されたコンピュータプログラムコードとが、また、少なくともＲＲＣ／ＰＰＩユニット２４ＧのためのＭＥＭ２４Ｂに記憶されている。ＵＥ２０又はネットワークノード２２については詳細に説明されていないが、それらデバイスのそれぞれは、また、それらデバイス２０及び２２の中の高周波ＲＦフロントエンドチップに内蔵され得る無線通信手段を一部として含むことが想定されるが、この場合、前記チップはＴＸ２０Ｄ／２２ＤとＲＸ２０Ｅ／２２Ｅとを保持するものである。
【００４３】
ＵＥ２０におけるＰＲＯＧ２０Ｃの少なくとも１つは、プログラム命令を含むことが想定されており、同プログラムは、関連するＤＰ２０Ａによって実行された時に、前記により十分に詳述した通り本発明の例示実施形態に従ってデバイスを作動させ得るものである。この点で、本発明の例示実施形態は、ＵＥ２０のＤＰ２０Ａによって実行可能であるＭＥＭ２０Ｂ上に記憶されたコンピュータソフトウェアによって、又はハードウェアによって、又は実質的に記憶されたソフトウェア及びハードウェア（並びに実質的に記憶されたファームウェア）の組合せによって、少なくとも部分的に実施されてもよい。本発明のこれらの態様を実施する電子デバイスは、ＵＥ２０全体である必要はないが、例示実施形態は、前述した実質的に記憶されたソフトウェア、ハードウェア、ファームウェア及びＤＰ等と同等のもの、又はチップ上のシステム（system on a chip;ＳＯＣ）、特定用途向け集積回路（Application specific integrated circuit；ＡＳＩＣ）、デジタルシグナルプロセッサ（ＤＳＰ）若しくは通称ＳＩＭカードと呼ばれる加入者識別モジュールのうちの１以上の構成要素によって実行されてもよい。
【００４４】
一般に、ＵＥ２０の各種実施形態としては、以下に限定されるものでもないが、携帯電話；データカード、ＵＳＢドングル、ラップトップ／パームトップ／タブレット・コンピュータ、デジタルカメラ及び音楽デバイスを含む（但し、これらに限定されない）無線通信機能を有するパーソナル携帯デジタルデバイス、並びにインターネット機器が含まれる。
【００４５】
例えばコンピュータ可読メモリＭＥＭ２０Ｂ、ＭＥＭ２２Ｂ及びＭＥＭ２４Ｂ等、図４におけるデバイスの各種実施形態としては、ローカル技術環境に適した任意のデータ記憶技術の種類が含まれ、そのようなデータ記憶技術の種類としては、以下に限定されるものではないが、半導体ベースのメモリデバイス、磁気メモリのデバイス及びシステム、光学メモリのデバイス及びシステム、固定メモリ、リムーバブルメモリ、ディスクメモリ、フラッシュメモリ、ＤＲＡＭ、ＳＲＡＭ、ＥＥＰＲＯＭ等が含まれる。ＤＰ２０Ａの各種実施形態としては、以下に限定されるものではないが、汎用コンピュータ、専用コンピュータ、マイクロプロセッサ、デジタルシグナルプロセッサ（ＤＳＰ）、及びマルチコアプロセッサが含まれる。
【００４６】
タイマーの操作を前記に説明したが、同タイマーを特定する「Ｔ３４０」という用語の使用は非限定的である。本発明の例示実施形態によれば、前述のＴ３４０タイマーは、異なる種類の標識及び／又は名称を用いて特定することができる。
【００４７】
図５は、本発明の例示実施形態による方法の簡略ブロック図を示す。図５に関し、ブロック５１０には、通信ネットワークのデバイスにより、無線リソース制御メッセージに応答してタイマーを起動する、但し、少なくとも前記タイマーの持続時間の間は前記デバイスによってＰＰＩメッセージが送信されない、工程が存在する。
【００４８】
前記段落に記載した本発明の例示実施形態によれば、前記無線リソース制御メッセージが、前記デバイスに関連する無線リソース接続セットアップ手順及び無線リソース接続再設定手順のうち１つに関する。
【００４９】
前記段落に記載した本発明の例示実施形態によれば、前記タイマーが、無線リソース接続セットアップ手順及び無線リソース接続再設定のうちの１つが完了したという表示に基づいて起動する。
【００５０】
前記段落に記載した本発明の例示実施形態によれば、前記表示が、無線リソース接続セットアップ完了メッセージ及び無線リソース接続再設定完了メッセージのうちの１つを含む。
【００５１】
前記段落に記載した本発明の例示実施形態によれば、前記無線リソース接続セットアップ手順及び無線リソース接続再設定手順のうちの１つが、ハンドオーバ操作に関する。
【００５２】
前記段落に記載した本発明の例示実施形態によれば、前記タイマーの持続時間が、前記通信ネットワークから受信した情報に基づいて設定される。
【００５３】
前記段落に記載した本発明の例示実施形態によれば、前記タイマーの終了に基づいて、ネットワークに対してＰＰＩメッセージを送信する。
【００５４】
前記段落に記載した本発明の例示実施形態によれば、前記ＰＰＩメッセージが、powerprefindication値を含む。
【００５５】
前記段落に記載した本発明の例示実施形態によれば、前記powerprefindication値は、前記デバイスが低電力消費モード又は通常電力消費モードのうちの１つにあることを示す。
【００５６】
前記段落に記載した本発明の例示実施形態によれば、前記タイマーを起動することが、Ｔ３４０タイマーを再起動することを含む。
【００５７】
前記段落に記載した本発明の例示実施形態によれば、前記タイマーの持続時間が、前記Ｔ３４０タイマーの持続時間に基づく。
【００５８】
本発明の例示実施形態によれば、少なくとも、コンピュータプログラムコードを具体化するメモリ２０Ｂ、２２Ｂ及び／又は２４Ｂ等のコンピュータ可読媒体が存在し、同コンピュータプログラムコードは、少なくとも前記段落に記載した操作を実行するようにデータプロセッサ２０Ａ、２２Ａ及び／又は２４Ａのうちの少なくとも１つにより実行可能である。
【００５９】
本発明の例示実施形態によれば、無線リソース制御メッセージに応答してタイマーを起動する手段、但し、少なくとも前記タイマーの持続時間の間は前記デバイスによってＰＰＩメッセージが送信されない、を含む装置がある。
【００６０】
前記段落の本発明の例示態様によれば、前記起動する手段は、タイマーと、コンピュータプログラムコードを含むコンピュータ可読媒体とを含み、前記コンピュータプログラムコードは少なくとも１つのプロセッサによって実行されるものである。
【００６１】
加えて、前述の本発明の例示実施形態に対する様々な変更及び適合は、前記の説明を考慮すると関連分野の当業者において明らかとなる。例示実施形態はＥＵＴＲＡＮシステムを前提として前記に説明したが、本発明の例示実施形態は、その１つの特定種の無線通信システムのみと共に用いられることに限定されるものではなく、例えばＧＥＲＡＮ，ＵＴＲＡＮ等のその他無線通信システムにおいても用いられ、利益をもたらすものであり得ることを理解しなければならない。
【００６２】
一般に、各種実施形態は、ハードウェア若しくは専用回路、ソフトウェア、ロジック又はそれらの組合せにおいて実装され得る。例えば、ある態様はハードウェアに実装されてもよいし、他の態様は、コントローラ、マイクロプロセッサ又はその他計算デバイスによって実行され得るファームウェア又はソフトウェアに実装されてもよい。但し、本発明は、これらに限定されるものではない。本発明の様々な態様は、ブロック図若しくはフローチャートとして、又はその他図的記述を用いて説明及び記述され得るが、本願に記載されるブロック、装置、システム、手法又は方法は、非限定的な例として、ハードウェア、ソフトウェア、ファームウェア、専用回路若しくは専用ロジック、汎用ハードウェア、汎用コントローラ若しくはその他汎用計算デバイス、又はそれらの組合せにおいて実装され得ることが十分に理解される。
【００６３】
本発明の実施形態は、集積回路モジュール等の各種構成要素において実施され得る。集積回路の設計は、概して、高度に自動化されたプロセスである。複雑かつ強力なソフトウェアツールが、理論レベルの設計を、すぐにでも半導体基板上にエッチングかつ形成できる半導体回路設計に変換するために利用可能である。
【００６４】
前述の記載は、例示でありかつ非限定的な例として、本発明者らによって今回考慮された、本発明を実施するための最良の方法及び装置に関する詳細な説明を提供するものである。しかしながら、前述の記載を添付の図面及び特許請求の範囲と合わせて読んだ時、様々な変更及び適合があり得ることは、前述の記載に照らし関連分野の当業者に明らかになる。但し、本発明の教示のそのような変更及び類似の変更全ては、本発明の範囲に依然として含まれるものである。
【００６５】
「接続（connected）」若しくは「連結（coupled）」なる語又はそれらの変形語は、２以上の要素間における、直接又は間接の接続又は連結を意味し、互いに「接続」又は「連結」される２つの要素間の１以上の中間要素の存在を包含し得る。要素間の連結又は接続は、物理的、理論的、又はそれらの組合せによるものであってよい。本願においては、２つの要素は、非限定的ないし非包括的な例として、１以上の電線、ケーブル及び／又はプリント電気接続を用いることによって、さらに高周波領域、マイクロ波領域及び光学（可視及び不可視の両方）領域において波長を有する電磁エネルギー等、電磁エネルギーを用いることによって、互いに「接続」又は「連結」されるものと考慮され得る。
【００６６】
さらに、本発明の好ましい実施形態の特徴の幾つかは、その他特徴を相応に用いることなしに用いられ、利益をもたらし得る。前述の記載は、それ自体、本発明の原理を単に説明するものであると考慮されなければならず、本発明を限定するものではない。
【図１Ａ】
0006052935.tif 000002
【図１Ｂ】
0006052935.tif 000003
【図２Ａ】
0006052935.tif 000004
【図２Ｂ】
0006052935.tif 000005
【図３Ａ】
0006052935.tif 000006
【図３Ｂ】
0006052935.tif 000007
【図４】
0006052935.tif 000008
【図５】
0006052935.tif 000009